(57)【要約】【課題】 衝撃性ノイズをなくして聴力障害の発生を防止し、外界の音声を聞き取り可能として周囲の状況を察知し危険を避けることができるイヤホーンの提供。【解決手段】 イヤホーン本体４０の内部空間中にスピーカー５０を設置し、イヤホーン本体前縁には少なくとも一個の出音孔４２を穿設し、スピーカーを設置する位置とイヤホーン本体前縁位置の該両者間は相互に適当な距離δを隔てる。適当な距離位置のイヤホーン本体上の周囲には一個以上の入音孔４３を穿設する。スピーカー上の二個の音声出力端が対応する音圧高低強度値の低いものは、出音孔に向かって出力する。本考案の使用時には耳はスピーカーが発する音域を聞くことができる他、外界の音声をも聞き取ることができる。また、高強度音圧により衝撃を受けた結果の疼痛等の不適応感を避けることができ、中耳が傷つく恐れを払拭する。【選択図】図１
0003118517.tif 000002
【実用新案登録請求の範囲】
【請求項１】
主にイヤホーン本体の内部空間中にスピーカーを設置して構成し、 該イヤホーン本体の前縁には少なくとも一個の出音孔を穿設し、該スピーカーを設置する位置と該イヤホーン本体前縁位置との該両者間には相互に適当な距離を隔て、該適当な距離位置のイヤホーン本体上の周囲には一個以上の入音孔を穿設し、該スピーカー上の二個の音声出力端が対応する音圧高低強度値の低いものは、該出音孔に向かって出力することを特徴とする衝撃性ノイズがなく外界の音声を聞き取り可能なイヤホーン。
【請求項２】
主にイヤホーン本体の内部空間中にスピーカーを設置して構成し、 該イヤホーン本体前縁には少なくとも一個の出音孔を穿設し、該イヤホーン本体の内部空間において固定する該スピーカー内壁面上に一個以上の連通孔を穿設し、該スピーカー上の二個の音声出力端が対応する音圧高低強度値の低いものは、該出音孔に向かって出力し、該イヤホーン本体の頂点部及び後縁の壁面上には少なくとも一個の入音孔を穿設することを特徴とする衝撃性ノイズがなく外界の音声を聞き取り可能なイヤホーン。
【考案の詳細な説明】
【技術分野】
【０００１】
本考案は一種のイヤホーンの構造に関する。特に一種の外界の警告音を聞くこともでき、高強度音圧インパルスを避けることができるイヤホーンで、人が該イヤホーンを装着する時、衝撃性ノイズがないため聴力障害の発生を防止し、外界の音声を聞き取り可能なため周囲の状況を察知し危険を避けることができるイヤホーンの構造に係る。
【背景技術】
【０００２】
図１、２、３が示すように、公知のイヤホーンはイヤホーン本体１０、スピーカー２０、出音蓋３０を含む。
該イヤホーン本体は中空設置室１１、開口端１２を具える。該スピーカーは該イヤホーン本体の中空設置室内に設置し、該出音蓋は該イヤホーン本体の開口端上に嵌置する。しかも、該出音蓋は該スピーカーの蓋面において複数の出音孔３１を形成し、該スピーカーの高強度音圧音源出力端２１は該出音蓋の出音孔に対する。これにより、人が該イヤホーンを耳Aの側頭骨A1と側頭骨対岸間A2に挿入後（図１参照）、該スピーカーが発する音域は該出音孔を通して耳に入る。
即ち、人は公知のイヤホーンを使用する場合には、該スピーカーが発する音楽、或いは音声は該出音蓋の出音孔を通してすべて耳中に入る。このため、外界の音は該イヤホーン本体を通ることはできず、該スピーカーが出力する音声と共に耳に入るため、一旦公知のイヤホーンを使用すると、耳に聞こえる音はすべて該スピーカーが発する音となってしまう。これでは、人は眼前の危険を察知することができるだけで、周囲に発生する警告音等には気がつかない。この種の状況は、運転者や歩行者が音楽を聴きながら、或いは通話しながらであれば、非常に危険である。【０００３】
さらに、米国サウスウエスタンメディカルセンターは１９９７年発表のレポート中において、「米国の１３歳から１９歳の青少年の２０％に聴力障害が見られる。聴力障害の原因の大部分は騒音環境、特にイヤホーン式スピーカーが発する衝撃性音楽に晒されたためである。」と指摘している。よって、公知のイヤホーンを使用する場合には、音量の制御に注意する（音圧が105ｄｂの時、一日の使用時間は１時間を超えないことが望ましい。音圧が95ｄｂであるなら、一日の使用時間は６時間を超えてはならない。）。また、イヤホーンが発するインパルスノイズにも注意すべきである。なぜなら、この種の極めて短時間のインパルスノイズ中には非常に高い音圧を含んでいるため、鼓膜破裂、或いは中耳の聴力喪失を招く恐れがある。
この種の中耳聴力伝音機能の障害は、伝音性聴力損失と呼ばれるものである。近年来、米国の医学レポート中では絶えず指摘されており、イヤホーン式スピーカーを使用しロック等のポピュラー音楽を聞くことにより聴力障害を招く青少年の比率は、年々増加している。このように、不適当なイヤホーンの使用は、米国の青少年のみならず、世界中の人々の聴力の健康をも既に虫食んでいる可能性がある。
即ち、公知のイヤホーン式スピーカーが発する音声は高強度音圧の音声を含んでおり、人がそれを耳に装着する時、該高強度の音圧は絶えず該耳の外耳道内に衝撃を加え、これにより中耳は疼痛等の不適応感を生じ、しかも、長時間使用すれば中耳は傷つき、聴力障害をも招きかねない。
【特許文献１】特開平１０−３２８９２号公報
【考案の開示】
【考案が解決しようとする課題】
【０００４】
上記公知構造の欠点を解決するため、本考案は衝撃性ノイズがなく外界の音声を聞き取り可能なイヤホーンの提供を課題とする。
【課題を解決するための手段】
【０００５】
上記課題を解決するため、本考案は下記の衝撃性ノイズがなく外界の音声を聞き取り可能なイヤホーンを提供する。
それは主にイヤホーン本体の内部空間中にスピーカーを設置し、イヤホーン本体前縁には少なくとも一個の出音孔を穿設し、スピーカーを設置する位置とイヤホーン本体前縁位置の該両者間は相互に適当な距離を隔てる。適当な距離位置のイヤホーン本体上の周囲には一個以上の入音孔を穿設する。スピーカー上の二個の音声出力端が対応する音圧高低強度値の低いものは、出音孔に向かって出力する。本考案の使用時には耳はスピーカーが発する音声を聞くことができる他、外界の音声をも聞き取ることができる。また、高強度音圧により衝撃を受けた結果の疼痛等の不適応感を避けることができ、中耳が傷つく恐れを払拭する。
【考案の効果】
【０００６】
上記のように、本考案はその使用過程においては、周囲で発生する外界の警告音がイヤホーン中のスピーカーが発する音声と共に耳に入るため、人は音楽や音声を聴きながらも外界の危険警告音を聞き取ることができ、直ちに危険を避ける動作を取ることができる。さらに、本考案が発する音域中には衝撃性高強度音圧を含まないため、中耳の傷害を効果的に防止可能で、聴力障害発生の危険を払拭することができる。
【考案を実施するための最良の形態】
【０００７】
図４が示すように、本考案は主にイヤホーン本体４０の内部空間４１中にスピーカー５０を設置して構成する。
該イヤホーン本体４０の前縁には少なくとも一個の出音孔４２を穿設し、該スピーカー５０を設置する位置と該イヤホーン本体４０前縁位置、該両者間は相互に適当な距離δを隔てる。該適当な距離δ位置のイヤホーン本体４０上の周囲には一個以上の入音孔４３を穿設する。該スピーカー５０上の二個の音声出力端が対応する音圧高低強度値の低いものは、該出音孔４２に向かって出力する。【０００８】
図５が示すように、本考案の使用時には先ず該イヤホーン本体４０を耳Ａに挿入し、該イヤホーン本体４０の前縁を該耳Ａの側頭骨Ａ１と側頭骨対岸Ａ２間に装置し外れないようにする。音楽を聞く、或いは通話を開始後、該耳Ａの外界の音声は該入音孔４３より該イヤホーン本体４０内に入り、該スピーカー５０が発する音声と共に該耳Ａの外耳道Ｂ内に入る。こうして、該耳Ａは該スピーカー５０が発する音声を聞くことができる他、外界の音声をも聞くことができ、周囲で発生している状況を知ることが可能である。よって、危険を避けることができる。
さらに、該スピーカー５０の低強度音圧音源出力端５１は該出音孔４２に向かって出力するため、外界の音声は該耳Ａの出力音域中に一緒に進入し、高強度音圧を含まない。即ち、長時間本考案を使用し音声を聞いたとしても、高強度音圧により衝撃を受けた結果の疼痛等の不適応感を避けることができ、中耳が傷つくことによる聴力障害の発生を効果的に防止可能である。【０００９】
図６が示すように、本考案の別種の実施例では、イヤホーン本体６０の内部空間中にスピーカー７０を設置し構成する。該イヤホーン本体６０前縁には少なくとも一個の出音孔６１を穿設し、該イヤホーン本体６０の内部空間において固定する該スピーカー７０内壁面上には一個以上の連通孔６２を穿設する。該スピーカー７０上の二個の音声出力端が対応する音圧高低強度値の低いものは、該出音孔６１に向かって出力する。
また、該イヤホーン本体６０の頂点部及び後縁の壁面上には少なくとも一個の入音孔６３を具えるため、外界の音声は該入音孔６３より該イヤホーン本体６０中に入り、該イヤホーン本体６０の穿孔６２及び該出音孔６１を経て該耳Ａに入る。こうして、該耳Ａが本考案を使用時には、外界の音声を受領可能となる。同時に該イヤホーン本体６０の出音孔６１は低強度音圧の音域を出力するため、高強度音圧により衝撃を受けた結果の疼痛等の不適応感を避けることができ、中耳が傷つくことによる聴力障害の発生を効果的に防止可能である。
【図面の簡単な説明】
【００１０】
【図１】公知のイヤホーン式レシーバーを耳に挿入する様子を示す指示図である。
【図２】公知のイヤホーン式レシーバーの立体指示図である。
【図３】公知のイヤホーン式レシーバーの平面断面図である。
【図４】本考案の断面指示図一である。
【図５】本考案の断面指示図一である。
【図６】本考案の別種の実施例の断面指示図である。
【符号の説明】
【００１１】
１０ イヤホーン本体１１ 中空設置室１２ 開口端２０ スピーカー２１ 高強度音圧音源出力端３０ 出音蓋３１ 出音孔４０ イヤホーン本体４１ 内部空間４２ 出音孔４３ 入音孔５０ スピーカー５１ 低強度音圧音源出力端５２ 高強度音圧音源出力端６０ イヤホーン本体６１ 出音孔６２ 連通孔６３ 入音孔７０ スピーカー７１ 低強度音圧音源出力端７２ 高強度音圧音源出力端 Ａ 耳Ａ１ 側頭骨Ａ２ 側頭骨対岸 Ｂ 外耳道
【図１】
0003118517.tif 000003
【図２】
0003118517.tif 000004
【図３】
0003118517.tif 000005
【図４】
0003118517.tif 000006
【図５】
0003118517.tif 000007
【図６】
0003118517.tif 000008